(57)【特許請求の範囲】
【請求項１】
取付環（３、３）を上部に取り付けた連結板（４、４）を背負い鞄（５）の背当て部（５ａ）に回動自在に取り付けることにより、前記取付環（３、３）を揺動自在とし、前記連結板（４、４）を内方向に押し付ける一組のバネ（１１、１１）を連結板（４、４）の外側面（４ｂ、４ｂ）の側方に取り付けると共に、前記連結板（４、４）を内方向に押し付けるもう一組のバネ（１２、１２）を連結板（４、４）の内部に設けたバネ挿入孔（７、７）に取り付けたものとして、これら連結板（４、４）に内方向の弾力を前記二組のバネ（１１、１１）（１２、１２）により付したことを特徴とする背負い鞄の肩掛けベルト上端取付具。
【請求項２】
取付環（３、３）を上部に取り付けた連結板（４、４）の対向側面に歯部（４ａ、４ａ）を設け、これら歯部（４ａ、４ａ）を互いに噛み合わせて連結板（４、４）を背負い鞄（５）の背当て部（５ａ）に回動自在に取り付けることにより、前記取付環（３、３）を揺動自在とし、前記連結板（４、４）を内方向に押し付ける一組のバネ（１１、１１）を連結板（４、４）の外側面（４ｂ、４ｂ）の側方に取り付けると共に、前記連結板（４、４）を内方向に押し付けるもう一組のバネ（１２、１２）を連結板（４、４）の内部に設けたバネ挿入孔（７、７）に取り付けたものとして、これら連結板（４、４）に内方向の弾力を前記二組のバネ（１１、１１）（１２、１２）により付したことを特徴とする背負い鞄の肩掛けベルト上端取付具。
【発明の詳細な説明】
【０００１】
【発明の属する技術分野】
この発明は、ランドセル、リュックサック等の背負い鞄の肩掛けベルト上端取付具に関するものである。
【０００２】
【従来の技術】
従来、この種の背負い鞄の肩掛けベルト上端取付具には、図４、５に示したように、取付環３、３を取り付けた連結板４、４の対向側面に歯部４ａ，４ａを設け、これら歯部４ａ，４ａを互いに噛み合わせて連結板４、４を、背負い鞄５の背当て部５ａに回動自在に取り付けることにより、前記取付環３、３を揺動自在とすると共に、前記連結板４、４に内方向の弾力を付したものが存在する。前記連結板４、４に内方向の弾力を付すには、連結板４の外側面４ｂを内方向に押し付ける一組のバネ３０、３０を設けたものとしている。
【０００３】
さらに、前記肩掛けベルト上端取付具は、上被覆板６ａの両側端上部に設けられたリベット孔３１ａ、３１ａおよび上端中央部に設けられたリベット孔３２ａから、下被覆板６ｂの両側端上部に設けられたリベット孔３１ｂ、３１ｂおよび上端中央部に設けられたリベット孔３２ｂにそれぞれリベット３３、３３、３３を貫通させて、背負い鞄５の背当て部５ａの裏側に取り付けられる止板３４にリベット止めしている。
【０００４】
このように構成された背負い鞄の肩掛けベルト上端取付具は、肩掛けベルト１の取付環３、３への取り付け位置を、連結板４、４の回動角度に応じた取付環３、３の揺動幅内において、使用者の体格に応じて左右方向に移動することができると共に、連結板４、４に付される内方向に弾力によって取付環３、３を使用者の体格に応じた状態に維持しておくことができるので、非常に使用し易く、使用者に圧迫感や疲労感を与えないものとなるという作用効果を有していた。
【０００５】
【発明が解決しようとする課題】
ところで、背負い鞄の肩掛けベルト上端取付具において、肩掛けベルト１の取付環３、３への取り付け位置を使用者の体格に応じて具合良く左右方向に移動したり、取付環３、３を使用者の体格に応じた状態に維持しておくには、連結板４、４に内方向の弾力を付すためのバネ３０、３０に充分な弾力を必要とする。
【０００６】
しかしながら、従来の背負い鞄の肩掛けベルト上端取付具では、連結板４、４に内方向の弾力を付すためのバネ３０、３０を、連結板４の外側面４ｂの側方に一組のみ設けたものとしているため、充分な弾力を持たせるには、バネ３０、３０自体が大きくなってしまい、そのため肩掛けベルト上端取付具が大きくなり、背負い鞄に取り付けるには嵩が高いものになるという課題を有していた。
【０００７】
また、従来の背負い鞄の肩掛けベルト上端取付具では、前記バネ３０を連結板４の外側面４ｂの側方に一組のみ設けたものとしているため、連結板４の回動をスムーズに行えず、そのため取付環３、３の揺動もスムーズに行えないことがあり、使用感が悪いという課題を有していた。
【０００８】
そこで、この発明は、上記従来の課題を解決するものであり、使用するバネを小さくしても、充分な弾力をもたすことができる構造として、肩掛けベルト上端取付具を小さくし、背負い鞄に取り付けても嵩が高いものにはならず、また取付環の揺動もスムーズに行えるようにして、使用感を良くした背負い鞄の肩掛けベルト上端取付具を提供することを目的としてなされたものである。
【０００９】
【課題を解決するための手段】
そのため、この発明の背負い鞄の肩掛けベルト上端取付具は、取付環３、３を上部に取り付けた連結板４、４を背負い鞄５の背当て部５ａに回動自在に取り付けることにより、前記取付環３、３を揺動自在とし、前記連結板４、４を内方向に押し付ける一組のバネ１１、１１を連結板４、４の外側面４ｂ、４ｂの側方に取り付けると共に、前記連結板４、４を内方向に押し付けるもう一組のバネ１２、１２を連結板４、４の内部に設けたバネ挿入孔７、７に取り付けたものとして、これら連結板４、４に内方向の弾力を前記二組のバネ１１、１１、１２、１２により付したものとしている。
【００１０】
さらに、この発明の背負い鞄の肩掛けベルト上端取付具は、取付環３、３を上部に取り付けた連結板４、４の対向側面に歯部４ａ、４ａを設け、これら歯部４ａ、４ａを互いに噛み合わせて連結板４、４を背負い鞄５の背当て部５ａに回動自在に取り付けることにより、前記取付環３、３を揺動自在とし、前記連結板４、４を内方向に押し付ける一組のバネ１１、１１を連結板４、４の外側面４ｂ、４ｂの側方に取り付けると共に、前記連結板４、４を内方向に押し付けるもう一組のバネ１２、１２を連結板４、４の内部に設けたバネ挿入孔７、７に取り付けたものとして、これら連結板４、４に内方向の弾力を前記二組のバネ１１、１１、１２、１２により付したものとすることができる。
【００１１】
【発明の実施の形態】
以下、この発明の背負い鞄の肩掛けベルト上端取付具の実施の形態を、図面に基づいて詳細に説明する。
【００１２】
図１は、この発明の背負い鞄の肩掛けベルト上端取付具を備えたランドセルを背当て部側から見た斜視図を示している。１は肩掛けベルトであり、この肩掛けベルト１の上端はこの発明の肩掛けベルト上端取付具２に取り付けられており、肩掛けベルト１の下端は下端取付具（図示せず）に取り付けられている。
【００１３】
前記上端取付具２は、図２に示したように、取付環３、３を上部に取り付けた連結板４、４の対向側面に歯部４ａ、４ａを設け、これら歯部４ａ、４ａを互いに噛み合わせて連結板４、４を背負い鞄５の背当て部５ａに回動自在に取り付けることにより、前記取付環３、３を揺動自在とすると共に、前記連結板４、４に内方向の弾力を二組のバネにより付したものとしている。なお、図に示したこの発明の背負い鞄の肩掛けベルト上端取付具は、取付環３、３を上部に取り付けた連結板４、４の対向側面に歯部４ａ、４ａを設けたものとしているが、これら歯部４ａ、４ａを設けたものとしなくてもよい。
【００１４】
この実施の形態において、前記連結板４、４を背当て部５ａに回動自在に取り付けるには、連結板４、４を上下被覆板６ａ、６ｂの間に挟み込み、連結板４、４の内部に設けたバネ挿入孔７、７の摺動部７ａ、７ａに下被覆板６ｂに設けた摺動体８、８を添わせ、連結板４、４の下部に設けた軸孔９、９に下被覆板６ｂに設けた止体１０、１０を軸支している。そして、前記連結板４、４に内方向の弾力を二組のバネにより付すには、連結板４、４を内方向に押し付ける一組のバネ１１、１１を連結板４、４の外側面４ｂ、４ｂの側方に取り付けると共に、連結板４、４を内方向に押し付けるもう一組のバネ１２、１２を連結板４、４の内部のバネ挿入孔７、７に取り付けたものとしている。前記バネ１１、１１は、略Ｕ字状の板バネとしており、外体１１ａ、１１ａが下被覆板６ｂに設けた支持部１３、１３及び支持体１４、１４に支持され、内体１１ｂ、１１ｂが連結板４、４の外側面４ｂ、４ｂに当接するようにしている。また、前記バネ１２、１２は、略Ｕ字状の板バネとしており、外体１２ａ、１２ａが連結板４、４のバネ挿入孔７、７の外方壁７ｂ、７ｂ及び下被覆板６ｂに設けた支持体１５、１５に支持され、内体１２ｂ、１２ｂが連結板４、４のバネ挿入孔７、７の内方壁７ｃ、７ｃに当接するようにしている。
【００１５】
さらに、前記連結板４、４は、外側端上部に舌片４ｃ、４ｃを突設し、上下被覆板６ａ、６ｂの間の上側に隙間ができないようにしている。そして、連結板４、４が回動して外側へ広がった場合には、これら舌片４ｃ、４ｃが前記下被覆板６ｂの支持部１３、１３の上方に設けた折返し１３ａ、１３ａに沿うようにしている。
【００１６】
なお、図３中、１６は上被覆板６ａの上に当生地１７（図１参照）を押さえ付けておくための押板である。１８は、前記押板１６と当生地１７の間に介在させる弾性板であり、押板１６により上被覆板６ａの上に押さえ付けられる当生地１７が傷つくのを防止するためのものである。さらに、１９はランドセルを吊り下げておくための吊り下げ環であり、下被覆板６ｂに一体として取り付けられている。
【００１７】
そして、この発明の背負い鞄の肩掛けベルト上端取付具は、上被覆板６ａの周端に設けたリベット孔２０ａ、２０ａおよび上被覆板６ａの中央上部に設けたリベット孔２０ｂから、下被覆板６ｂの周端に設けたリベット孔２１ａ、２１ａおよび下被覆板６ｂの中央上部に設けたリベット孔２１ｂにリベット２２、２２、２２を貫通させて、背負い鞄５の背当て部５ｂの裏側に取り付けられる止板２３にリベット止めしたものとしている。
【００１８】
さらに、前記上被覆板６ａの左右下部に設けたリベット孔２４ａ、２４ａから、下被覆板６ｂの止体１０、１０に設けたリベット孔２５、２５にリベット２２、２２を貫通させて、上下被覆板６ａ、６ｂどうしをリベット止めしたものとしている。
【００１９】
【発明の効果】
この発明の背負い鞄の肩掛けベルト上端取付具は、以上に述べたような構成とし、連結板に内方向の弾力を二組のバネにより付したものとすると共に、一組のバネを連結板の内部に取り付けたものとしているので、使用するバネは小さくても充分な弾力をもたすことができる構造となり、肩掛けベルト上端取付具を小さくし、背負い鞄に取り付けるても嵩が高いものにはならないものとなり、また取付環の揺動もスムーズに行えるようになり、使用感の良いものとなった。
【図面の簡単な説明】
【図１】この発明の背負い鞄の肩掛けベルト上端取付具を備えた背負い鞄の背当て部側から見た斜視図である。
【図２】この発明の背負い鞄の肩掛けベルト上端取付具の上被覆板を外した状態を示す斜視図である。
【図３】この発明の背負い鞄の肩掛けベルト上端取付具の分解斜視図である。
【図４】従来の背負い鞄の肩掛けベルト上端取付具を備えた背負い鞄の背当て部側から見た斜視図である。
【図５】従来の背負い鞄の肩掛けベルト上端取付具の分解斜視図である。
【符号の説明】
３  取付環
４  連結板
４ａ  歯部
４ｂ  外側部
５  背負い鞄
５ａ  背当て部
７  バネ挿入孔
１１  バネ
１２  バネ
【図１】
0004099735.tif 000002
【図２】
0004099735.tif 000003
【図３】
0004099735.tif 000004
【図４】
0004099735.tif 000005
【図５】
0004099735.tif 000006